(57)【特許請求の範囲】
【請求項１】
本体と、この本体の底部に設けられこの本体を自立させる支持脚と、前記本体に設けられ電池を装着して同時に充電可能な複数組の充電端子とを具備するバッテリチャージャにおいて、
前記支持脚は前記本体に対して回動可能にその中心を軸着された長矩形形状を有し、かつそれぞれ相互に垂直に位置する回動固定点を有し、
第１の前記回動固定点では前記支持脚の両端が前記本体の長辺側の両側面から垂直に突出して前記本体の自立を支持し、
第２の前記回動固定点では前記支持脚の両端が前記本体の長辺側の側面内側に収納されることを特徴とするバッテリチャージャ。
【請求項２】
前記支持脚を前記本体側に付勢するばね手段と、前記第１の回動固定点および前記第２の回動固定点で前記支持脚と前記本体とを係止する係止手段とを具備し、
前記支持脚は前記ばね手段に抗して少なくともその厚み分以上引き出されることによって回動可能になり、前記第１の回動固定点および前記第２の回動固定点では前記ばね手段の付勢力によって前記係止手段が前記支持脚と前記本体とを係止するによって前記支持脚が固定されることを特徴とする請求項１に記載のバッテリチャージャ。
【請求項３】
前記支持脚を前記本体側にねじ止めするねじ手段を具備し、
前記支持脚はこのねじ手段を緩めることによって回動可能になり、このねじ手段を締めることによって前記本体側に固定されることを特徴とする請求項１に記載のバッテリチャージャ。
【発明の詳細な説明】
【０００１】
【発明の属する技術分野】
本発明は、バッテリチャージャに関し、特にバッテリチャージャの脚の構造に関する。
【０００２】
【従来の技術】
バッテリチャージャはニカド乾電池やアルカリ乾電池などの２次電池を再充電して繰り返し使用できるようにする充電装置である。  従来のバッテリチャージャの外観側面図を図１に示す。  図１において、１はバッテリチャージャ本体、２および３は充電中のバッテリ、４は支持脚である。  この図では、縦型のバッテリチャージャ本体１の両サイドにバッテリ２および３が装着されて充電されている。ところで、バッテリチャージャ１に装着されるバッテリは必ずしもサイズが同じものとは限らず、また片方だけ装着されることもあるため、全体の重心の位置がバッテリチャージャ本体１の幅の中に収まらないで傾いて不安定になり、縦型に自立できない場合がある。  これを防ぐために、本体よりも突出した形の支持脚４のようなものが必要になる。しかし、このように支持脚４を張り出して設けるとすると、持ち運びの際には嵩張ってしまい邪魔になる。
【０００３】
【発明が解決しようとする課題】
上述のごとく、従来のバッテリチャージャは異なったサイズのバッテリを充電したり、一方側だけにバッテリを充電する時でも安定して自立できるように横に張り出した支持脚が設けられている。
しかし、このような構造であると携帯、持ち運びの際にはその分だけ嵩張ってしまい取扱いに不便である。
【０００４】
本発明はこの点を解決して、充電使用時には安定して自立し、携帯運搬時には嵩張らないようにし小型にすることができるバッテリチャージャの実現を課題とする。
【０００５】
【課題を解決するための手段】
上記課題を達成するため、本発明は、本体と、この本体の底部に設けられこの本体を自立させる支持脚と、前記本体に設けられ電池を装着して同時に充電可能な複数組の充電端子とを具備するバッテリチャージャにおいて、前記支持脚は前記本体に対して回動可能にその中心を軸着された長矩形形状を有し、かつそれぞれ相互に垂直に位置する回動固定点を有し、第１の前記回動固定点では前記支持脚の両端が前記本体の長辺側の両側面から垂直に突出して前記本体の自立を支持し、第２の前記回動固定点では前記支持脚の両端が前記本体の長辺側の側面内側に収納されることを特徴とする。
【０００６】
【発明の実施の形態】
以下、本発明にかかるバッテリチャージャを添付図面を参照にして詳細に説明する。  図２に、本発明の一実施の形態のバッテリチャージャの支持脚を出している使用状態の底面図を、図３に、この実施の形態でバッテリチャージャの支持脚を畳んだ持ち運び状態での底面図を示した。
【０００７】
図２および図３において、Ａは支持脚、Ｂは支持脚Ａの接地位置、Ｃは本体底部の接地位置、Ｄはピボット（軸着点）である。  図２の状態では、支持脚Ａの先端が本体の側面からこの図で左右に張り出した形になっており、支持脚Ａの２か所のＢ部分と、本体側の４か所のＣ部分とで広く接地する形になる。このとき、２か所のＢ部分間のピッチは、支持脚Ａを出している使用状態での重心位置を充分カバーする距離となっている。  この状態でのバッテリチャージャの側面図は、先に従来例の側面図として示した図１の側面図と同じ形になる。これにより、バッテリチャージャの重心の位置は支持脚Ａの長辺の長さの中に収まり、バッテリチャージャは安定して縦型に自立することができる。
【０００８】
次に、この状態から支持脚Ａをその厚さの分だけ下方に引きだし、ピボットＤを中心に９０°回転して支持脚Ａを収納すると、図３に示す状態になる。この状態では支持脚Ａは完全に本体部の内側に収まってしまって外側への張り出しはなくなり、全体として小型で嵩さ張らない状態になる。
【０００９】
このように、支持脚Ａを本体に対して回動可能に設け、使用中には支持脚Ａの両端が本体部の両側に張り出すように、持ち運び状態では支持脚Ａが本体の長辺の内側に収まるように構成したので、使用中はバッテリチャージャは安定して自立することができ、また持ち運び状態では小型で携帯に容易な形状にすることができる。
【００１０】
次に、このような構成の支持脚の固定方法の実施例について述べる。
図４は、支持脚の一実施例の中心軸での断面図である。
図４でＥは支持脚、Ｆは軸、Ｇは圧縮ばね、Ｊはガイド、ＫおよびＬは保持部、Ｍは板金、Ｎは本体である。
支持脚Ｅは軸Ｆに固定され、圧縮ばねＧによってＨ方向に引かれた状態になっている。ガイドＪは保持部ＫおよびＬで軸Ｅを保持し、板金Ｍを介して本体Ｎに固定されている。
【００１１】
支持脚Ｅを収納する場合、ばねＧの力に逆らって支持脚Ｅを下方に引き出し、９０度回転させれば、ばねＧの力で収納位置に支持脚Ｅが引き込まれる。支持脚Ｅを出す場合も同様である。
また、支持脚ＥにＰ方向に力が加わった場合でも軸ＦがガイドＪに嵌合しているので、支持脚Ｅが傾くことが阻止される。
【００１２】
このような構成をとると、比較的簡単な方法によって、充電使用状態では支持脚Ｅを広げて本体Ｎを安定に支持し、携帯搬送状態では支持脚Ｅを畳み込んで全体を小さく収めることができる。また、支持脚Ｅの状態の切り替え操作が容易であり、かつ固定状態では支持脚Ｅを安定した固定状態にすることができる。
【００１３】
図５は、支持脚の他の実施例の中心軸での断面図である。
図５において、Ｑは支持脚、Ｒはねじ、Ｓは本体部材、Ｔはストッパである。固定状態で支持脚Ｑは、ねじＲによって本体部材Ｓに固定されている。支持脚Ｑを回動させるためには、底面側からねじＲを緩めた後、支持脚Ｑを回転させ、所定位置まで回動させた後、再びねじＲを締めて固定する。
なお、ねじＲには、ねじＲを緩めた時、本体部材ＳからねじＲが脱落するのを防ぐため、ストッパＴが設けられている。
このようなねじによってロックする構成をとると、ねじを緩めたり締めたりするだけで、支持脚Ｑを回転させ、充電使用状態では支持脚Ｑを広げて本体を安定に支持し、携帯搬送状態では支持脚Ｑを畳み込んで全体を小さく収めることができる。
以上に述べた支持脚の固定方法は一例であって、この例以外にも、座金や嵌合具等を用いるなどの方法が考えられ、本発明の主旨を逸脱しない範囲で利用することができる。
【００１４】
【発明の効果】
以上説明したように本発明の請求項１の発明は、本体と、この本体の底部に設けられこの本体を自立させる支持脚と、本体に設けられ電池を装着して同時に充電可能な複数組の充電端子とを具備するバッテリチャージャにおいて、支持脚は本体に対してその中心を回動可能に軸着された長矩形形状を有し、かつそれぞれ相互に垂直に位置する回動固定点を有し、第１の回動固定点では支持脚の両端が本体の長辺側の両側面から垂直に突出して本体の自立を支持し、第２の回動固定点では支持脚の両端が本体の長辺側の側面内側に収納されることを特徴とする。
これにより、比較的簡単な方法で、充電使用状態では支持脚を広げて本体を安定に支持することができ、携帯搬送状態では支持脚を畳み込んで全体を小さく嵩さ張らないように収めることができる。
【００１５】
本発明の請求項２の発明は、支持脚を本体側に付勢するばね手段と、第１の回動固定点および第２の回動固定点で支持脚と本体とを係止する係止手段とを具備し、支持脚はばね手段に抗して少なくともその厚み分以上引き出されることによって回動可能になり、第１の回動固定点および第２の回動固定点ではばね手段の付勢力によって係止手段が支持脚と本体とを係止するによって支持脚が固定されることを特徴とする。
これにより、比較的簡単な方法によって充電使用状態では支持脚を広げて本体を安定に支持し、携帯搬送状態では支持脚を畳み込んで全体を小さく収めることができる。また、支持脚の状態の切り替え操作が容易であり、かつ固定状態では支持脚を安定した固定状態にすることができる。
【００１６】
本発明の請求項３の発明は、支持脚を本体側にねじ止めするねじ手段を具備し、支持脚はこのねじ手段を緩めることによって回動可能になり、このねじ手段を締めることによって本体側に固定されることを特徴とする。
これにより、ねじを緩めたり締めたりするだけで、支持脚を簡単に回転させ、充電使用状態では支持脚を広げて本体を安定に支持し、携帯搬送状態では支持脚を畳み込んで全体を小さく収めることができる。
【図面の簡単な説明】
【図１】  バッテリチャージャの側面図。
【図２】  本発明の一実施の形態のバッテリチャージャの支持脚を出している使用状態の底面図。
【図３】  図１の実施の形態でバッテリチャージャの支持脚を畳んだ持ち運び状態での底面図。
【図４】本発明のバッテリチャージャの支持脚の一実施例の中心軸での断面図。
【図５】本発明のバッテリチャージャの支持脚の他の実施例の中心軸での断面図。
【符号の説明】
１…バッテリチャージャ本体、２、３…充電中のバッテリ、４…支持脚、Ａ…支持脚、Ｂ…支持脚Ａの接地位置、Ｃ…本体底部の接地位置、Ｄ…ピボット、Ｅ…支持脚、Ｆ…軸、Ｇ…圧縮ばね、Ｊ…ガイド、Ｋ、Ｌ…保持部、Ｍ…板金、Ｎ…本体、Ｑ…支持脚、Ｒ…ねじ、Ｓ…本体部材、Ｔ…ストッパ。
【図１】
0003978842.tif 000002
【図２】
0003978842.tif 000003
【図３】
0003978842.tif 000004
【図４】
0003978842.tif 000005
【図５】
0003978842.tif 000006